(57)【要約】  本発明はディスプレイなどに適用された場合に、好ましい視認性を実現するガラス板構成体を提供することを目的とする。本発明のガラス板構成体は、少なくとも２枚の板と、少なくとも２枚の板のうち、隣接する２枚の板の間に保持された液体層と、液体層を封止するように、２枚の板の周囲の少なくとも一部に設けられたシール材と、を備え、２枚の板のうち少なくとも１枚の板がガラス板であるガラス板構成体であって、液体層と前記シール材の光屈折率差が、０．０１５以下である。
2019070004.tif 000002
【特許請求の範囲】
【請求項１】
少なくとも２枚の板と、
前記少なくとも２枚の板のうち、隣接する２枚の板の間に保持された液体層と、
前記液体層を封止するように、前記２枚の板の周囲の少なくとも一部に設けられたシール材と、を備え、
前記２枚の板のうち少なくとも１枚の板がガラス板であるガラス板構成体であって、
前記液体層と前記シール材の光屈折率差が、０．０１５以下である、ガラス板構成体。
【請求項２】
前記光屈折率差が、０．０１０以下である、請求項１に記載のガラス板構成体。
【請求項３】
前記シール材が、前記２枚の板の周囲の全体に設けられる、請求項１または２に記載のガラス板構成体。
【請求項４】
前記２枚の板の端面と前記シール材の端面が、単一面を構成する、請求項１から３のいずれか１項に記載のガラス板構成体。
【請求項５】
前記２枚の板のうち少なくとも１枚の板の周囲の少なくとも一部の端面が、テーパー面を有し、
前記シール材の端面が、前記板のテーパー面と連続した曲面を有する、請求項１から３のいずれか１項に記載のガラス板構成体。
【請求項６】
前記ガラス板の比弾性率が、２．５×１０７ｍ２／ｓ２以上である、請求項１から５のいずれか１項に記載のガラス板構成体。
【請求項７】
前記液体層の２５℃における粘性係数が１×１０−４〜１×１０３Ｐａ・ｓであり、かつ、２５℃における表面張力が１５〜８０ｍＮ／ｍである、請求項１から６のいずれか１項に記載のガラス板構成体。
【請求項８】
前記液体層の厚みが、
前記２枚の板の合計の厚みが１ｍｍ以下の場合は、前記２枚の板の合計の厚みの１／１０以下であり、
前記２枚の板の合計の厚みが１ｍｍ超の場合は、１００μｍ以下である、請求項１から７のいずれか１項に記載のガラス板構成体。
【請求項９】
物理強化ガラス板および化学強化ガラス板の少なくともいずれか一方のガラス板を含む、請求項１から８のいずれか１項に記載のガラス板構成体。
【請求項１０】
前記２枚の板の厚みが、それぞれ０．０１〜１５ｍｍである、請求項１から９のいずれか１項に記載のガラス板構成体。
【請求項１１】
前記液体層がジメチルシリコーンオイル、メチルフェニルシリコーンオイル、メチルハイドロジェンシリコーンオイルおよび変性シリコーンオイルからなる群より選ばれる少なくとも１種を含む請求項１から１０のいずれか１項に記載のガラス板構成体。
【請求項１２】
前記シール材が、ポリ酢酸ビニル系樹脂、ポリ塩化ビニル系樹脂、ポリビニルアルコール系樹脂、エチレン共重合体系樹脂、ポリアクリル酸エステル系樹脂、シアノアクリレート系樹脂、飽和ポリエステル系樹脂、ポリアミド系樹脂、線状ポリイミド系樹脂、メラミン樹脂、尿素樹脂、フェノール樹脂、エポキシ系樹脂、ポリウレタン系樹脂、不飽和ポリエステル系樹脂、反応性アクリル系樹脂、ゴム系樹脂、シリコーン系樹脂、変性シリコーン系樹脂、フッ素系樹脂からなる群より選ばれる少なくとも１種を含む請求項１から１１のいずれか１項に記載のガラス板構成体。
【請求項１３】
請求項１から１２のいずれか１項に記載のガラス板構成体および、前記ガラス板構成体の片面または両面に設置された少なくとも１つの振動子を含む振動板。
【請求項１４】
請求項１から１２のいずれか１項に記載のガラス板構成体または請求項１３に記載の振動板を用いた開口部材。
【発明の詳細な説明】
【技術分野】
【０００１】
本発明は、良好な視認性および音響性能を有するガラス板構成体に関し、また、ガラス板構成体を用いた振動板および開口部材に関する。
【背景技術】
【０００２】
一般的に、スピーカーまたはマイクロフォン用の振動板としてコーン紙や樹脂が用いられている。これらの材料は損失係数が大きく、共振による振動が生じにくいことから、可聴域における音の再現性能が良いと考えられている。しかし、これらは何れも材料における音速値が低いため、高周波で励振した際に、音波周波数に材料の振動が追従しにくく、分割振動が発生しやすい。そのため特に高周波数領域において所望の音圧が出にくい。【０００３】
近年、特にハイレゾ（ハイレゾリューション）音源等で再生が求められる帯域は２０ｋＨｚ以上の高周波数領域であり、ヒトの耳では聞こえにくい帯域とされるものの、臨場感が強く感じられるなど、より感情に迫るものがあることから、該帯域の音波振動を忠実に再現できることが望ましい。【０００４】
そこで、コーン紙や樹脂に代えて、金属、セラミックス、ガラス等の、材料に伝播する音速が速い素材を用いることが考えられる。
【先行技術文献】
【特許文献】
【０００５】
【特許文献１】日本国特開平５−２２７５９０号公報
【非特許文献】
【０００６】
【非特許文献１】Ｏｌｉｖｉｅｒ  Ｍａｌ  ｅｔ．  ａｌ．，“Ａ  Ｎｏｖｅｌ  Ｇｌａｓｓ  Ｌａｍｉｎａｔｅｄ  Ｓｔｒｕｃｔｕｒｅ  ｆｏｒ  Ｆｌａｔ  Ｐａｎｅｌ  Ｌｏｕｄｓｐｅａｋｅｒｓ”ＡＥＳ  Ｃｏｎｖｅｎｔｉｏｎ  １２４，７３４３．
【発明の概要】
【発明が解決しようとする課題】
【０００７】
スピーカー用の振動板として、１枚のガラスを用いたものや（特許文献１）、ガラスを２枚のガラス板の間にブチラール系樹脂層を有する合わせガラスが知られている（非特許文献１）。【０００８】
特に非特許文献１の様な合わせガラスの如きガラス板構成体を、ディスプレイ等の視認領域に配置することにより、当該視認領域から音を出すことができる。このような態様においては、ガラス板構成体に封止された液体層と、封止のためのシール材の境界をできるだけ目立たたなくすることが望ましい。【０００９】
そこで本発明では、ディスプレイなどに適用された場合に、好ましい視認性を実現するガラス板構成体を提供することを目的とする。
【課題を解決するための手段】
【００１０】
本発明のガラス板構成体は、少なくとも２枚の板と、前記少なくとも２枚の板のうち、隣接する２枚の板の間に保持された液体層と、前記液体層を封止するように、前記２枚の板の周囲の少なくとも一部に設けられたシール材と、を備え、前記２枚の板のうち少なくとも１枚の板がガラス板であるガラス板構成体であって、前記液体層と前記シール材の光屈折率差が、０．０１５以下である。【００１１】
本発明の振動板は、前記ガラス板構成体および、前記ガラス板構成体の片面または両面に設置された少なくとも１つの振動子を含む。【００１２】
本発明の開口部材は、前記ガラス板構成体または前記振動板を用いている。
【発明の効果】
【００１３】
本発明のガラス板構成体によれば、液体層とシール材の光屈折率差を０．０１５以下に抑えることにより、両者の境界面の視認を困難にし、あたかも一枚板のガラスに見えるガラス板構成体を実現できる。また、ガラス板構成体の視認領域（の全面）に設けても、視認性を妨げることはない。そして、境界を隠すための縁を設ける必要がなくなり、縁なしガラス板構成体を実現しやすくなり、音響特性のみならずデザインの向上、デザインの自由度の向上、コストの削減が可能となる。
【図面の簡単な説明】
【００１４】
【図１】本発明に係るガラス板構成体の一例を示し、（ａ）は正面図、（ｂ）は（ａ）のＡ−Ａ断面図。
【図２】本発明に係るガラス板構成体の第１の板上に塗布された液体層とシール材の一実施形態を示す概念図。
【図３】（ａ）、（ｂ）は、本発明に係るガラス板構成体の製造工程を示す模式図。
【図４】本発明に係る液体層の種類と波長毎の屈折率を示す表。
【図５】本発明に係るシール材の種類と波長毎の屈折率を示す表。
【図６】本発明に係るガラス板構成体のシール材と液体層の境界の視認性の評価を示す実施例データ表。
【図７】（ａ）〜（ｆ）は、本発明に係るガラス板構成体の種々の形状を示す説明図。
【図８】本発明に係るガラス板構成体の端面形状を示す断面図、（ａ）は第１の例、（ｂ）は第２の例、（ｃ）は第３の例。
【図９】本発明に係る液剤とシール材の組合せを示す表。
【発明を実施するための形態】
【００１５】
以下、発明を実施するための形態に基づいて、本発明の詳細およびその他の特徴について説明する。なお、以下の図面において、同一又は対応する部材又は部品には、同一又は対応する符号を付すことにより、重複する説明を省略する。また、図面は、特に指定しない限り、部材又は部品間の相対比を示すことを目的としない。よって、具体的な寸法は、以下の限定的でない実施形態に照らし、適宜選択可能である。
【００１６】
また本明細書において数値範囲を示す「〜」とは、その前後に記載された数値を下限値および上限値として含む意味で使用される。
【００１７】
（ガラス板構成体の概要）
本発明のガラス板構成体は、少なくとも２枚の板と、前記少なくとも２枚の板のうち、隣接する２枚の板の間に保持された液体層と、液体層を封止するように、２枚の板の周囲の少なくとも一部に設けられたシール材と、を備え、２枚の板のうち少なくとも１枚の板がガラス板であるガラス板構成体であって、液体層とシール材の光屈折率差が、０．０１５以下である。
【００１８】
ガラス板構成体の透過率を高めるために、屈折率を整合させることも有用である。即ち、２枚のガラス板構成体に保持されている液体層とシール材との屈折率は近いほど、両者の境界面における反射及び干渉が防止されることから好ましく、ガラス板の視認性を妨げない。そして、液体層とシール材との光屈折率差が、０．０１５以下が好ましく、０．０１以下であることがより好ましい。
【００１９】
封止した液体層（液剤）とシール材が異なる物質で、両者の光屈折率に差があり、これがガラス板構成体の一例であるディスプレイの視認領域（の全面）に設けられると、背面から透過した光により、両者の境界が見えてしまい、視認性が阻害される。尚、液体層（液剤）及びシール材の色差はΔＥ＊ａｂが５％以下であることが好ましく、３％以下がより好ましく、１％以下が特に好ましい。液体層（液剤）及びシール材のヘイズ値の差の割合は５％以下が好ましく、３％以下がより好ましく、１％以下が特に好ましい。または、ヘイズの絶対値の差の値が１．０以下であることが好ましく、０．５以下であることがより好ましく、０．１以下であることが特により好ましい。
【００２０】
本発明のガラス板構成体は、両者の屈折率の差を所定値以下に抑えることにより、両者の境界面の視認を困難にすることができる。また、ガラス板構成体の視認領域（の全面）に設けても、視認性を妨げることはない。そして、境界を隠すための縁を設ける必要がなくなり、縁なしガラス板構成体を実現しやすくなり、音響特性のみならずデザインの向上、デザインの自由度の向上、コストの削減が可能となる。
【００２１】
また、ガラス板構成体の直線透過率が高いと、透光性の部材としての適用が可能となる。そのため、日本工業規格（ＪＩＳ  Ｒ３１０６−１９９８）に準拠して求められた可視光透過率が６０％以上であることが好ましく、６５％以上がより好ましく、７０％以上がさらに好ましい。なお、透光性の部材としては、例えば透明スピーカー、透明マイクロフォン、建築、車両用の開口部材等の用途が挙げられる。
【００２２】
２枚の板の間に保持されたシール材が、２枚の板の周囲の全体に設けられている。この構成により、シール材の内側に保持される液体層が漏れることがなく、ガラス板構成体の品質が向上する。尚、ガラス板構成体は、３枚以上の板を有してもよく、その場合においても隣接する２枚の板の間に液体層がシール材により保持される。
【００２３】
また、２枚の板の端面とシール材の端面が、単一面を構成することが好ましい。これにより、両者の端面が均一になるため好ましい外観のあるガラス板構成体を提供できる。
【００２４】
さらに、２枚の板のうち少なくとも１枚の板の周囲の少なくとも一部の端面が、テーパー面を有し、シール材の端面が、板のテーパー面と連続した曲面を有している。この構成により、板状体の端部における鋭利な角を除去でき安全性が図られ、シール材と板との接触面積が増大するためシール性能を向上させることができる。
【００２５】
本発明に係るガラス板構成体は、２５℃における損失係数が１×１０−２以上であり、かつ、少なくとも１枚の板の板厚方向の縦波音速値が４．０×１０３ｍ／ｓ以上であることが好ましい。なお、損失係数が大きいとは振動減衰能が大きいことを意味する。
【００２６】
損失係数とは、半値幅法により算出したものを用いる。材料の共振周波数ｆ、振幅ｈであるピーク値から−３ｄＢ下がった点（すなわち、最大振幅−３［ｄＢ］における点）の周波数幅をＷとしたときに、｛Ｗ／ｆ｝で表される値を損失係数と定義する。
共振を抑えるには、損失係数を大きくすればよく、すなわち、振幅ｈに対し相対的に周波数幅Ｗは大きくなり、ピークがブロードとなることを意味する。
【００２７】
損失係数は材料等の固有の値であり、例えばガラス板単体の場合にはその組成や相対密度等によって異なる。なお、損失係数は共振法などの動的弾性率試験法により測定することができる。
【００２８】
縦波音速値とは、物体中を縦波が伝搬する速度をいう。縦波音速値は、日本工業規格（ＪＩＳ−Ｒ１６０２−１９９５）に記載された超音波パルス法により測定することができる。
【００２９】
（液体層）
本発明に係るガラス板構成体は、少なくとも２枚（少なくとも一対）の板の間に液体からなる層（液体層）を設けることで、高い損失係数を実現することができる。中でも、液体層の粘性や表面張力を好適な範囲にすることで、より損失係数を高くすることができる。これは、一対の板を、粘着層を介して設ける場合とは異なり、一対の板が固着せず、各々の板としての振動特性を持ち続けることに起因するものと考えられる。
【００３０】
液体層は２５℃における粘性係数が１×１０−４〜１×１０３Ｐａ・ｓであり、かつ、２５℃における表面張力が１５〜８０ｍＮ／ｍであることが好ましい。粘性が低すぎると振動を伝達しにくくなり、高すぎると液体層の両側に位置する一対の板同士が固着して１枚の板としての振動挙動を示すようになることから、共振による振動が減衰されにくくなる。また、表面張力が低すぎると板間の密着力が低下し、振動を伝達しにくくなる。表面張力が高すぎると、液体層の両側に位置する一対の板同士が固着しやすくなり、１枚の板としての振動挙動を示すようになることから、共振による振動が減衰されにくくなる。
【００３１】
液体層の２５℃における粘性係数は１×１０−３Ｐａ・ｓ以上がより好ましく、１×１０−２Ｐａ・ｓ以上がさらに好ましい。また、１×１０２Ｐａ・ｓ以下がより好ましく、１×１０Ｐａ・ｓ以下がさらに好ましい。
液体層の２５℃における表面張力は１７ｍＮ／ｍ以上がより好ましく、３０ｍＮ／ｍ以上がさらに好ましい。
【００３２】
液体層の粘性係数は回転粘度計などにより測定することができる。液体層の表面張力はリング法などにより測定することができる。
【００３３】
液体層は、蒸気圧が高すぎると液体層が蒸発してガラス板構成体としての機能を果たさなくなるおそれがある。そのため、液体層は、２５℃、１ａｔｍにおける蒸気圧が１×１０４Ｐａ以下が好ましく、５×１０３Ｐａ以下がより好ましく、１×１０３Ｐａ以下がさらに好ましい。
【００３４】
液体層の厚みは薄いほど、ガラス構成体の剛性を高く維持できるおよび振動伝達の点から好ましい。具体的には、２枚の板の合計の厚みが１ｍｍ以下の場合は、液体層の厚みは、２枚の板の合計の厚みの１／１０以下が好ましく、１／２０以下がより好ましく、１／３０以下がさらに好ましく、１／５０以下がよりさらに好ましく、１／７０以下がことさらに好ましく、１／１００以下が特に好ましい。
また、２枚の板の合計の厚みが１ｍｍ超の場合は、液体層の厚みは、１００μｍ以下が好ましく、５０μｍ以下がより好ましく、３０μｍ以下がさらに好ましく、２０μｍ以下がよりさらに好ましく、１５μｍ以下がことさらに好ましく、１０μｍ以下が特に好ましい。
液体層の厚みの下限は、生産性および耐久性の点から０．０１μｍ以上が好ましい。
【００３５】
液体層は化学的に安定であり、液体層と液体層の両側に位置する２枚の板とが、反応しないことが好ましい。化学的に安定とは、例えば光照射により変質（劣化）が少ないものであり、少なくとも−２０〜７０℃の温度領域で凝固、気化、分解、変色、ガラスとの化学反応等が生じないものを意味する。
【００３６】
液体層の成分としては、具体的には、水、オイル、有機溶剤、液状ポリマー、イオン性液体およびそれらの混合物等が挙げられる。
【００３７】
より具体的には、プロピレングリコール、ジプロピレングリコール、トリプロピレングリコール、ストレートシリコーンオイル（ジメチルシリコーンオイル、メチルフェニルシリコーンオイル、メチルハイドロジェンシリコーンオイル）、変性シリコーンオイル、アクリル酸系ポリマー、液状ポリブタジエン、グリセリンペースト、フッ素系溶剤、フッ素系樹脂、アセトン、エタノール、キシレン、トルエン、水、鉱物油、およびそれらの混合物、等が挙げられる。中でも、ジメチルシリコーンオイル、メチルフェニルシリコーンオイル、メチルハイドロジェンシリコーンオイルおよび変性シリコーンオイルからなる群より選ばれる少なくとも１種を含むことが好ましく、プロピレングリコールまたはシリコーンオイルを主成分とすることがより好ましい。
【００３８】
上記の他に、粉体を分散させたスラリーを液体層として使用することもできる。損失係数の向上といった観点からは、液体層は均一な流体であることが好ましいが、ガラス板構成体に着色や蛍光等といった意匠性や機能性を付与する場合には、該スラリーは有効である。
液体層における粉体の含有量は０〜１０体積％が好ましく、０〜５体積％がより好ましい。
粉体の粒径は沈降を防ぐ観点から１０ｎｍ〜１０μｍが好ましく、０．５μｍ以下がより好ましい。
【００３９】
また、意匠性・機能性付与の観点から、液体層に蛍光材料を含んでもよい。蛍光材料を粉体として分散させたスラリー状の液体層でも、蛍光材料を液体として混合させた均一な液体層でもよい。これにより、ガラス板構成体に光の吸収および発光といった光学的機能を付与することができる。
【００４０】
（シール材）
シール材が、一方の板の端面と、液体層の端面と、他方の板の主面に密着している。一方の板の端面および液体層の端面が、他方の板の主面に対して垂直な場合、シール材は、断面視においてＬ字状に延びた輪郭を有する。このような構成により、ガラス板構成体の強度が向上する。
【００４１】
また、シール材がテーパー面を有することが好ましい。これにより、板の端面を加工したのと同じ効果を得ることができる。
【００４２】
シール材は、ポリ酢酸ビニル系樹脂、ポリ塩化ビニル系樹脂、ポリビニルアルコール系樹脂、エチレン共重合体系樹脂、ポリアクリル酸エステル系樹脂、シアノアクリレート系樹脂、飽和ポリエステル系樹脂、ポリアミド系樹脂、線状ポリイミド系樹脂、メラミン樹脂、尿素樹脂、フェノール樹脂、エポキシ系樹脂、ポリウレタン系樹脂、不飽和ポリエステル系樹脂、反応性アクリル系樹脂、ゴム系樹脂、シリコーン系樹脂、変性シリコーン系樹脂、フッ素系樹脂からなる群より選ばれる少なくとも１種を含むことが好ましい。
【００４３】
（板及びガラス板）
本発明に係るガラス板構成体においては、液体層を両側から挟むように、少なくとも２枚（少なくとも一対）の板が設けられる。そして、２枚の板のうち少なくとも１枚の板がガラス板である。このような構成において、何れかの板が共振した場合に、液体層の存在により、他の板が共振しない、又は、他の板の共振の揺れを減衰することができることから、ガラス板構成体は、ガラス板単独の場合と比べて損失係数を高くすることができる。
【００４４】
一対の板を構成する２枚の板のうち、一方の板と他方の板の共振周波数のピークトップの値は異なることが好ましく、共振周波数の範囲が重なっていないものがより好ましい。ただし、一方の板および他方の板の共振周波数の範囲が重複する場合や、ピークトップの値が同じであっても、液体層の存在によって、一方の板が共振しても、他方の板の振動が同期しないことで、ある程度共振が相殺されることから、板単独の場合に比べて高い損失係数を得ることができる。
【００４５】
すなわち、一方の板の共振周波数（ピークトップ）をＱａ、共振振幅の半値幅をｗａ、他方の板の共振周波数（ピークトップ）をＱｂ、共振振幅の半値幅をｗｂとした時に、下記式（１）の関係を満たすことが好ましい。
（ｗａ＋ｗｂ）／４＜｜Ｑａ−Ｑｂ｜・・・（１）
式（１）における左辺の値が大きくなるほど二つの板の共振周波数の差異（｜Ｑａ−Ｑｂ｜）が大きくなり、高い損失係数が得られるようになることから好ましい。
【００４６】
そのため、下記の式（２）を満たすことがより好ましく、下記の式（３）を満たすことがより好ましい。
（ｗａ＋ｗｂ）／２＜｜Ｑａ−Ｑｂ｜・・・（２）
（ｗａ＋ｗｂ）／１＜｜Ｑａ−Ｑｂ｜・・・（３）
なお、板の共振周波数（ピークトップ）および共振振幅の半値幅は、ガラス板構成体における損失係数と同様の方法で測定することができる。
【００４７】
一方の板と他方の板は、質量差が小さいほど好ましく、質量差がないことがより好ましい。板の質量差がある場合、軽い方の板の共振は重い方の板で抑制することはできるが、重い方の板の共振を軽い方の板で抑制することは困難である。すなわち、質量比に偏りがあると、慣性力の差異により原理的に共振による振動を互いに打ち消せなくなるためである。
【００４８】
一方の板／他方の板で表される２枚の板の質量比は０．１〜１０．０（１／１０〜１０／１）が好ましく、０．５〜２．０（５／１０〜１０／５）がより好ましく、１．０（１０／１０、質量差０）がさらに好ましい。
【００４９】
一方の板および他方の板の厚みはいずれも薄いほど、板同士が液体層を介して密着しやすく、また、板を少ないエネルギーで振動させることができる。そのため、スピーカー等の振動板用途の場合には、板の厚みは薄いほど好ましい。具体的には２枚の板の板厚が、それぞれ１５ｍｍ以下が好ましく、１０ｍｍ以下がより好ましく、５ｍｍ以下がさらに好ましく、３ｍｍ以下がさらにより好ましく、１．５ｍｍ以下が特に好ましく、０．８ｍｍ以下が特により好ましい。一方、薄すぎると板の表面欠陥の影響が顕著になりやすく割れが生じやすくなったり、強化処理しにくくなったりすることから、０．０１ｍｍ以上が好ましく、０．０５ｍｍ以上がより好ましい。
【００５０】
また、共振現象に起因する異音の発生を抑制した建築・車両用開口部材用途においては、一方の板および他方の板の板厚はそれぞれ０．５〜１５ｍｍが好ましく、０．８〜１０ｍｍがより好ましく、１．０〜８ｍｍがさらに好ましい。
【００５１】
一方の板および他方の板の少なくともいずれか一方の板は、損失係数が大きい方が、ガラス板構成体としての振動減衰も大きくなり、振動板用途として好ましい。具体的には、板の２５℃における損失係数は１×１０−４以上が好ましく、３×１０−４以上がより好ましく、５×１０−４以上がさらに好ましい。上限は特に限定されないが、生産性や製造コストの観点から５×１０−３以下であることが好ましい。また、一方の板および他方の板の両方が、上記損失係数を有することがより好ましい。
なお、板の損失係数は、ガラス板構成体における損失係数と同様の方法で測定することができる。
【００５２】
一方の板および他方の板の少なくともいずれか一方の板は、板厚方向の縦波音速値が高い方が高周波領域の音の再現性が向上することから、振動板用途として好ましい。具体的には、板の縦波音速値が４．０×１０３ｍ／ｓ以上が好ましく、５．０×１０３ｍ／ｓ以上がより好ましく、６．０×１０３ｍ／ｓ以上がさらに好ましい。上限は特に限定されないが、板の生産性や原料コストの観点から７．０×１０３ｍ／ｓ以下が好ましい。また、一方の板および他方の板の両方が、上記音速値を満たすことがより好ましい。
なお、板の音速値は、ガラス板構成体における縦波音速値と同様の方法で測定することができる。
【００５３】
本発明に係るガラス板構成体において、一方の板および他方の板の少なくとも１枚の板はガラス板により構成される。他の１枚の板の素材は任意であり、ガラス以外の金属による金属板、樹脂による樹脂板、セラミックによるセラミック板など、種々のものを採用することができる。意匠性や加工性の観点からは、樹脂板またはその複合材料を用いることが好ましく、樹脂板が、アクリル系樹脂、ポリイミド樹脂、ポリカーボネート樹脂、ＰＥＴ樹脂、ＦＲＰ材料を用いることが特により好ましい。また、振動特性の観点からは、剛性の高いセラミック材料および金属材料を用いることが好ましく、例えばＡｌ２Ｏ３、ＳｉＣ、Ｓｉ３Ｎ４、ＡｌＮ、ムライト、ジルコニア、イットリア、ＹＡＧ等のセラミックスおよび単結晶材料、鋼、アルミニウム、チタン、マグネシウム、炭化タングステン等の金属および合金材料がより好ましい。また、セラミック材料については透光性を有する材料であることが特により好ましい。
【００５４】
少なくとも１枚の板を構成するガラス板の組成は特に限定されないが、例えば下記範囲であることが好ましい。
ＳｉＯ２：４０〜８０質量％、Ａｌ２Ｏ３：０〜３５質量％、Ｂ２Ｏ３：０〜１５質量％、ＭｇＯ：０〜２０質量％、ＣａＯ：０〜２０質量％、ＳｒＯ：０〜２０質量％、ＢａＯ：０〜２０質量％、Ｌｉ２Ｏ：０〜２０質量％、Ｎａ２Ｏ：０〜２５質量％、Ｋ２Ｏ：０〜２０質量％、ＴｉＯ２：０〜１０質量％、かつ、ＺｒＯ２：０〜１０質量％。但し上記組成がガラス全体の９５質量％以上を占める。
【００５５】
ガラス板の組成はより好ましくは、下記範囲である。
ＳｉＯ２：５５〜７５質量％、Ａｌ２Ｏ３：０〜２５質量％、Ｂ２Ｏ３：０〜１２質量％、ＭｇＯ：０〜２０質量％、ＣａＯ：０〜２０質量％、ＳｒＯ：０〜２０質量％、ＢａＯ：０〜２０質量％、Ｌｉ２Ｏ：０〜２０質量％、Ｎａ２Ｏ：０〜２５質量％、Ｋ２Ｏ：０〜１５質量％、ＴｉＯ２：０〜５質量％、かつ、ＺｒＯ２：０〜５質量％。但し上記組成がガラス全体の９５質量％以上を占める。
【００５６】
ガラス板のヤング率を密度で除した値である比弾性率は、大きいほど、ガラス板の剛性を高くすることができる。具体的にはガラス板の比弾性率が２．５×１０７ｍ２／ｓ２以上が好ましく、２．８×１０７ｍ２／ｓ２以上がより好ましく、３．０×１０７ｍ２／ｓ２以上がさらにより好ましい。上限は特に限定されないが、ガラス製造時の成形性の観点から４．０×１０７ｍ２／ｓ２以下であることが好ましい。ヤング率は、日本工業規格（ＪＩＳ−Ｒ１６０２−１９９５）に記載された超音波パルス法により測定することができる。
【００５７】
ガラス板の比重はいずれも小さいほど、少ないエネルギーでガラス板を振動させることができる。具体的にガラス板の比重は、２．８以下が好ましく、２．６以下がより好ましく、２．５以下がさらにより好ましい。下限は特に限定されないが、２．２以上であることが好ましい。
【００５８】
（ガラス板構成体）
ガラス板構成体を構成する板の少なくとも１枚および液体層の少なくともいずれか一方に着色することも可能である。これは、ガラス板構成体に意匠性を持たせたい場合や、ＩＲカット、ＵＶカット、プライバシーガラス等の機能性を持たせたい場合に有用である。
【００５９】
ガラス板構成体を構成する板のうちガラス板は少なくとも１枚であればよいが、２枚以上のガラス板を用いてもよい。この場合、すべて異なる組成のガラス板を用いてもよく、すべて同じ組成のガラス板を用いてもよく、同じ組成のガラス板と異なる組成のガラス板とを組み合わせて用いてもよい。中でも、異なる組成からなる２種類以上のガラス板を用いることが振動減衰性の点から好ましく用いられる。
ガラス板の質量や厚みについても同様に、すべて異なっても、すべて同一でも、一部が異なっていてもよい。中でも、構成するガラス板の質量が全て同一であることが振動減衰性の点から好ましく用いられる。
【００６０】
ガラス板構成体を構成するガラス板の少なくとも１枚に物理強化ガラス板や化学強化ガラス板を用いることもできる。これは、ガラス板構成体の破壊を防ぐのに有用である。ガラス板構成体の強度を高めたい場合には、ガラス板構成体の最表面に位置するガラス板を物理強化ガラス板又は化学強化ガラス板とすることが好ましく、構成するガラス板の全てが物理強化ガラス板又は化学強化ガラス板であることがより好ましい。
【００６１】
また、ガラス板として、結晶化ガラスや分相ガラスを用いることも、縦波音速値や強度を高める点から有用である。特に、ガラス板構成体の強度を高めたい場合には、ガラス板構成体の最表面に位置するガラス板を結晶化ガラス又は分相ガラスとすることが好ましい。
【００６２】
ガラス板構成体の少なくとも一方の最表面に本発明の効果を損なわない範囲でコーティングやフィルムを形成してもよい。コーティングの施工やフィルムの貼付は例えば傷付き防止等に好適である。
【００６３】
コーティングやフィルムの厚みは、表層のガラス板の板厚の１／５以下であることが好ましい。コーティングやフィルムには従来公知の物を用いることができる。コーティングとしては例えば撥水コーティング、親水コーティング、滑水コーティング、撥油コーティング、光反射防止コーティング、遮熱コーティング、高反射コーティング等が挙げられる。また、フィルムとしては例えばガラス飛散防止フィルム、カラーフィルム、ＵＶカットフィルム、ＩＲカットフィルム、遮熱フィルム、電磁波シールドフィルム、プロジェクター用スクリーンフィルム等が挙げられる。
【００６４】
ガラス板構成体の形状は、用途によって適宜設計することができ、平面板状であっても曲面形状でもよい。また、正面視において、四角形状、三角形状、円形状、多角形状などでもよい。
【００６５】
低周波数帯域の出力音圧レベルを上げるため、ガラス板構成体にエンクロージャーまたはバッフル板を付与した構造とすることも出来る。エンクロージャーまたはバッフル板の材質は特に限定されないが、本発明のガラス板構成体を用いることが好ましい。
【００６６】
ガラス板構成体の少なくとも一方の最表面に本発明の効果を損なわない範囲で、フレーム（枠）を設けてもよい。フレームは、ガラス板構成体の剛性を向上させたい場合、あるいは曲面形状を保持したい場合等に有用である。フレームの材質としては従来公知の物を用いることができるが、例えばＡｌ２Ｏ３、ＳｉＣ、Ｓｉ３Ｎ４、ＡｌＮ、ムライト、ジルコニア、イットリア、ＹＡＧ等のセラミックスおよび単結晶材料、鋼、アルミニウム、チタン、マグネシウム、炭化タングステン等の金属および合金材料、ＦＲＰ等の複合材料、アクリル、ポリカーボネート等の樹脂材料、ガラス材料、木材等を用いることが出来る。
用いるフレームの重量は、ガラス板の重量の２０％以下であることが好ましく、１０％以下であることがより好ましい。
【００６７】
ガラス板構成体とフレームとの間にはシール部材を有することもできる。さらに、ガラス板構成体の外周端部の少なくとも一部を、ガラス板構成体の振動を妨げないシール部材でシールしてもよい。シール部材としては、伸縮性の高いゴム、樹脂、ゲル等を用いることが出来る。
【００６８】
シール部材用の樹脂に関しては、アクリル系、シアノアクリレート系、エポキシ系、シリコーン系、ウレタン系、フェノール系等を用いることができる。硬化方法としては一液型、二液混合型、加熱硬化、紫外線硬化、可視光硬化等が挙げられる。
熱可塑性樹脂（ホットメルトボンド）を用いることも出来る。例として、エチレン酢酸ビニル系、ポリオレフィン系、ポリアミド系、合成ゴム系、アクリル系、ポリウレタン系が挙げられる。
【００６９】
ゴムに関しては、例えば天然ゴム、合成天然ゴム、ブタジエンゴム、スチレン・ブタジエンゴム、ブチルゴム、ニトリルゴム、エチレン・プロピレンゴム、クロロプレンゴム、アクリルゴム、クロロスルホン化ポリエチレンゴム（ハイパロン）、ウレタンゴム、シリコーンゴム、フッ素ゴム、エチレン・酢酸ビニルゴム、エピクロルヒドリンゴム、多硫化ゴム（チオコール）、水素化ニトリルゴムを用いることが出来る。
シール部材の厚さｔは、薄すぎると十分な強度が確保されず、厚すぎると振動の支障となる。ゆえにシール部材の厚さは１０μｍ以上かつガラス板構成体の合計厚みの５倍以下であることが好ましく、５０μｍ以上かつガラス板構成体の合計厚みより薄いことがより好ましい。
【００７０】
ガラス板構成体の板と液体層との界面における剥離防止等のために、向かい合う板の面の少なくとも一部に本発明の効果を損なわない範囲で上記のシール部材を塗布することができる。この場合、シール部材塗布部の面積は振動の支障とならないように液体層の面積の２０％以下であることが好ましく、１０％以下であることがより好ましく、５％以下であることが特に好ましい。
【００７１】
また、シール性能を向上するために、板のエッジ部分を適切な形状に加工することも出来る。例えば少なくとも一方の板の端部をＣ面取り（板の断面形状が台形形状）またはＲ面取り（板の断面形状が略円弧状）することにより、シール部材と板の接触面積を増大させ、シール部材と板の接着強度を向上させることが出来る。
【００７２】
（振動板、開口部材）
本発明は、上記ガラス板構成体および振動子を含む振動板、上記ガラス板構成体を用いた開口部材に関する。
【００７３】
振動板としては、例えば、ガラス板構成体の片面または両面に１個以上の振動素子や振動検出素子（振動子）を設置することにより、スピーカー、マイクロフォン、イヤフォン、モバイル機器等の筺体振動体や筺体スピーカーとして機能させることができる。出力音圧レベルを向上させるためには２個以上の振動素子をガラス板構成体の両面に設置することが望ましい。
【００７４】
一般に振動板に対する振動子の位置はガラス構成体の中央部であることが望ましいが、本材料は高音速かつ高減衰性能を有するため、振動子をガラス板構成体の端部に設置してもよい。本発明に係る振動板を用いることにより、従来再現が難しかった高周波領域の音の再生が容易に可能となる。また、ガラス板構成体の大きさ、形状、色調等における自由度が高く、意匠性を施すことが可能であることから、デザイン性にも優れた振動板を得ることができる。また、ガラス板構成体表面または近傍に設置した集音用マイクロフォンまたは振動検出器で音声または振動をサンプリングし、これと同位相あるいは逆位相の振動をガラス板構成体に発生させることによりサンプリングした音声または振動を増幅したり打ち消したりすることができる。
【００７５】
このとき、上記のサンプリング点における音声または振動の特性が、ガラス板構成体に伝搬するまでの間に或る音響伝達関数に基づいて変化する場合、および、ガラス板構成体に音響変換伝達関数が存在する場合には、制御フィルタを用いて制御信号の振幅と位相を補正することにより、振動を精度よく増幅したりキャンセルしたりすることが可能となる。上記のような制御フィルタを構成する際、例えば最小二乗法（ＬＭＳ）アルゴリズムを用いることが出来る。
【００７６】
より具体的な構成として、例えば、複層ガラスの全部または少なくとも１枚のガラス板を本発明のガラス板構成体とし、制御対象の音波振動が流入する側の板の振動レベルまたはガラス間に存在する空間の音圧レベルをサンプリングし、これを制御フィルタにより適切に信号補正した上で音波振動が流出する側に設置されたガラス板構成体上の振動素子に出力する構造とすることが出来る。
【００７７】
本振動板の用途としては、例えば電子機器用部材として、フルレンジスピーカー、１５Ｈｚ〜２００Ｈｚ帯の低音再生用スピーカー、１０ｋＨｚ〜１００ｋＨｚ帯の高音再生スピーカー、振動板の面積が０．２ｍ２以上の大型スピーカー、振動板の面積が３ｃｍ２以下の小型スピーカー、平面型スピーカー、円筒型スピーカー、透明スピーカー、スピーカーとして機能するモバイル機器用カバーガラス、ＴＶディスプレイ用カバーガラス、映像信号と音声信号とが同一の面から生じるディスプレイ、ウェアラブルディスプレイ用スピーカー、電光表示器、照明器具、等に利用することが出来る。また、ヘッドフォン、イヤフォンまたはマイク用の振動板、振動センサーとして用いることが出来る。
【００７８】
車両等の輸送機械の内装用振動部材として、車載・機載スピーカーとして用いることができる。例えばスピーカーとして機能するサイドミラー、サンバイザー、インパネ、ダッシュボード、天井、ドア、その他内装パネルとすることが出来る。これらをマイクロフォンおよびアクティブノイズコントロール用振動板として機能させることもできる。
【００７９】
その他の用途として、超音波発生装置用振動板、超音波モーター用スライダ、低周波発生装置、液中に音波振動を伝搬させる振動子、およびそれを用いた水槽並びに容器、振動素子、振動検出素子、振動減衰装置用のアクチュエータ用材料として用いることができる。
【００８０】
開口部材としては、例えば、建築・輸送機械等に用いられる開口部材が挙げられる。例えば、車両、航空機、船舶、発電機等の駆動部などから発生する騒音の周波数帯で共振しにくいガラス板構成体を用いた場合、それらの騒音に対して特に優れた発生抑制効果を得ることが可能となる。また、ガラス板構成体にＩＲカット、ＵＶカット、着色等の機能を付与することもできる。
【００８１】
開口部材に適用する際には、ガラス板構成体の片面または両面に１個以上の振動素子や振動検出素子（振動子）を設置した振動板を、スピーカーやマイクロフォンとして機能させることもできる。本発明に係るガラス板構成体を用いることにより、従来再現が難しかった高周波領域の音の再生が容易に可能となる。また、ガラス板構成体の大きさ、形状、色調等における自由度が高く、意匠性を施すことが可能であることから、デザイン性にも優れた開口部材を得ることができる。また、ガラス板構成体表面または近傍に設置した集音用マイクロフォンまたは振動検出器で音声または振動をサンプリングし、これと同位相あるいは逆位相の振動をガラス板構成体に発生させることによりサンプリングした音声または振動を増幅したり打ち消したりすることができる。
【００８２】
より具体的には、車内スピーカー、車外スピーカー、遮音機能を有する車両用フロントガラス、サイドガラス、リアガラスまたはルーフガラスとして用いることができる。このとき、特定の音波振動のみを透過または遮断できる仕組みとしてもよい。また、音波振動により撥水性、耐着雪性、耐着氷性、防汚性を向上させた車両用窓、構造部材、化粧板として用いることもできる。具体的には、自動車用窓ガラスやミラーのほか、レンズ、センサーおよびそれらのカバーガラスとして用いることができる。
【００８３】
建築用開口部材としては、振動板および振動検出装置として機能する窓ガラス、ドアガラス、ルーフガラス、内装材、外装材、装飾材、構造材、外壁、遮音板および遮音壁、および太陽電池用カバーガラスとして用いることが出来る。それらを音響反射（残響）板として機能させてもよい。また、音波振動により上記の撥水性、耐着雪性、防汚性を向上させることもできる。
【００８４】
（ガラス板構成体の製造方法）
本発明に係るガラス板構成体は一対の板の間に、液体層と、液体層を封止するシール材とを保持することにより得ることができる。
【００８５】
シール材の塗布方法は、ディスペンサーによる塗布、スクリーン印刷、スプレー塗布、スプレッダによる塗布等があるが、塗布厚、塗布線幅の均一性から、ディスペンサーによる塗布が好ましい。
【００８６】
液体層の形成についても特に限定されず、例えば、液体層を構成する液体をディスペンサー、スピンコート、ダイコート、スクリーン印刷、インクジェット印刷等の手法により板表面に塗布することができる。
【００８７】
（ガラス板構成体の実施形態）
図１は、本発明のガラス板構成体１０の一例を示し、図１（ａ）は、正面図であり、図１（ｂ）は、図１（ａ）におけるＡ−Ａ線に沿った断面図である。
【００８８】
ガラス板構成体１０は、少なくとも２枚の板である第１の板（一方又は他方の板）１１および第２の板（他方又は一方の板）１２と、第１の板１１および第２の板１２の間に保持された液体層２０と、液体層２０を封止するシール材３０とを含む。２枚の板、第１の板１１と第２の板１２のうち少なくとも１枚の板は、ガラス板により構成されている。
【００８９】
シール材３０は、第１の板１１の主面１１ａと、第２の板１２の主面１２ａと、液体層２０の端面２１とに密着している。このような構成により、液体層２０がシール材３０により封止され、液体層２０の漏れが防止されるとともに、第１の板１１、液体層２０、第２の板１２の接合が強化され、ガラス板構成体１０の強度が増す。
【００９０】
図２に基づいて、シール材３０と液体層２０となる液剤２２の塗布方法を説明する。
【００９１】
（シール材塗布）
シール材３０は、例えば縦１００ｍｍ、横１００ｍｍ、厚さ０．５ｍｍの第１の板１１の中心部に、ディスペンサーを用いて端部から１ｍｍ間隔をあけ、幅０．５ｍｍで線描画される。
【００９２】
（液剤塗布）
ディスペンサーを用いて、第１の板１１の中央部分（シール材３０に取り囲まれた部分）に液剤（オイル剤）２２を図２に示すように、例えば線幅０．５ｍｍ、線間隔４ｍｍでシール材３０の塗布線との間隔２ｍｍを保って線描画する。液剤２２の吐出量は、貼合後の液層層３０の層厚が３μｍになるように質量を合わせて塗布する。例えば、シール材３０の線内部の領域が縦１００ｍｍ、横１００ｍｍであるところに、厚さ３μｍで密度１ｇ／ｃｍ３の液剤２２を塗布する場合、塗布量合計０．０３ｇになるように吐出質量をコントロールすればよい。このとき、シール材３０と液体層２０になる液剤２２の線描画はどちらを先に塗布しても良い。
【００９３】
１００ｍｍ×１００ｍｍ×０．５ｍｍ寸法の第１の板１１を用意し、そこにディスペンサー（武蔵エンジニアリング製；ＳＨＯＴＭＡＳＴＥＲ ４００ＤＳ-ｓ）を用いて、液剤２２として２５℃における動粘度３０００（ｍｍ２／ｓ）のジメチルシリコーンオイル、およびメチルフェニルシリコーンオイルを端部から幅５ｍｍのあそびを設け、一様に塗布した。さらに第１の板１１の端部に線幅約０．５ｍｍでシール材（硬化樹脂）３０を塗布し、第１の板１１と第２の板１２を貼合後、シール材３０を硬化させる。
【００９４】
（貼合工程）
上述の工程を経て、シール材３０および液剤２２を塗布し、図３に示すように、塗布した第１の板１１と、同種同サイズの未塗布の第２の板１２を減圧下で貼合する。減圧貼合の際、圧力は１５００Ｐａ以下であれば好ましく、３００Ｐａ以下であればより好ましく、さらに１００Ｐａ以下であれば好ましく、特に１０Ｐａ以下であることが望ましい。貼合後、ＵＶ照射や加熱など、使用するシール材３０の硬化形態に合わせてシール材３０を硬化させる。
【００９５】
貼合の際に、内側に塗布した液剤２２が伸び広がり、シール材３０と接触して内側から力がかかり、シール材３０は主に外側に広がる。シール材３０は外に広がるが、第１の板１１と第２の板１２のそれぞれの端面１１ｂ、１２ｂで表面張力がはたらき、板１１、１２から漏れ出ることはない。
【００９６】
（実施例）
上述の方法で得られたガラス板構成体１０の測定結果に基づく実施例を図４〜図６に基づいて説明する。図４は、液剤２２であるオイル類の屈折率は多波長アッベ屈折計（ＤＥ−Ｍ２、株式会社アタゴ製）を用い、４８６、５８９、６５６ｎｍにて測定した結果を示している。
【００９７】
図５は、シール材３０のリスト及び屈折率を示した表である。用いるシール材３０の屈折率は、小平製作所製アプリケータ（ＹＢＭ５型）を用いてＰＴＦＥ板上にて薄膜成形し、ＵＶ照射にて硬化させた後、（ＰＲＩＳＭ  ＣＯＵＰＬＥＲ  ＭＯＤＥＬ  ２０１０/Ｍ、Ｍｅｔｒｉｃｏｎ  ｃｏｒｐｏｒａｔｉｏｎ製）を用いて測定した。
【００９８】
図６は、液体貼合方式のガラス板構成体１０を作成し、液体層２０とシール材３０との境界面での視認の可否についての結果を示す表である。表から、例えばＡのシール材３０では、ジメチルシリコーンオイル（液剤ｂ）の場合、境界面が目立たず好ましい視認性を実現できているが（表中○印参照）、メチルフェニルシリコーンオイル（液剤ｃ）では、境界面がやや目立っていることが理解できる（表中△印参照）。そして、液体層２０のメチルフェニルシリコーンオイルにおいて、シール材３０としてＣ、Ｄ、Ｅ、Ｆとの関係が、良好であることも理解される。好ましい屈折率差の値は０．０１５以下であり、より好ましくは０．０１０以下、さらに好ましくは０．００５以下であった。
図９に図４の液剤および図５のシール材の組み合わせを図示する。図９において、波長４８６、５８９、６５６ｎｍにおける液剤とシール材の屈折率差の平均値が、０．００５以下を◎、０．０１０以下を〇、０．０１５以下を□で示す。
【００９９】
ガラス板構成体１０の形状は、用途によって適宜設計することができ、平面板状であっても曲面形状でもよい。また、正面視において、図７に示すように、正方形（図７（ａ））、長方形（図７（ｂ））、直角三角形（図７（ｃ））、円形（図７（ｄ））、多角形（図７（ｅ））、三角形（図７（ｆ））などでもよい。
【０１００】
（端面加工）
端面加工は、鏡面加工でも良い。端面１１ｂ、１２ｂの形状は、見映え、接合強度、安全性等を考慮して選択される。
図８（ａ）に示される第１の例では、第１の板１１の端面１１ｂ及び第２の板１２の端面１２ｂは、単一面を構成する。また、図８（ｂ）に示される第２の例のように、両端面１１ｂ、１２ｂを曲面のテーパー面として、シール材３０の端面３１が、当該テーパー面と連続した曲面を形成してもよい。そして、図８（ｃ）に示される第３の例のように、第１の板１１の端面１１ｂのみ曲面のテーパー面加工をしてもよい。
【０１０１】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【０１０２】
本発明を特定の態様を参照して詳細に説明したが、本発明の精神と範囲を離れることなく様々な変更および修正が可能であることは、当業者にとって明らかである。なお、本出願は、２０１７年１０月４日付けで出願された日本特許出願（特願２０１７−１９４６３７）に基づいており、その全体が引用により援用される。また、ここに引用されるすべての参照は全体として取り込まれる。
【産業上の利用可能性】
【０１０３】
本発明のガラス板構成体は、液体層とシール材の境界部分が目立たないため、特に縁を必要としないディスプレイに最適である。また、スピーカーやマイクロフォン、イヤフォン、モバイル機器等に用いられる振動板、建築・車両用開口部材等にも好適に用いることができる。
【符号の説明】
【０１０４】
１０  ガラス板構成体
１１  第１の板
１１ａ  第１の板の主面
１１ｂ  第１の板の端面
１２  第２の板
１２ａ  第２の板の主面
１２ｂ  第２の板の端面
２０  液体層
２１  液体層の端面
２２  液剤
３０  シール材
３１  シール材の端面
【図１】
2019070004.tif 000003
【図２】
2019070004.tif 000004
【図３】
2019070004.tif 000005
【図４】
2019070004.tif 000006
【図５】
2019070004.tif 000007
【図６】
2019070004.tif 000008
【図７】
2019070004.tif 000009
【図８】
2019070004.tif 000010
【図９】
2019070004.tif 000011
【国際調査報告】
2019070004.tif 000012
2019070004.tif 000013
2019070004.tif 000014